(57)【要約】      （修正有）【課題】白色ＬＥＤと赤外ＬＥＤに対し同一の光学系を用いても、白色ＬＥＤと赤外ＬＥＤでほぼ同一の投影像を得られるＬＥＤ発光装置及びヘッドライトを提供する。【解決手段】ＬＥＤ発光装置１０は、青色ＬＥＤ１２０は、赤外光に対して透光性を有する透光性基板１２２を含み、透光性基板１２２の下部に配置される赤外光ＬＥＤ１１１と、透光性基板１２２との間に、可視光を反射し赤外光を透過する選択反射層１２３を挟み込む。青色ＬＥＤ１２０の上方には、青色ＬＥＤ１２０の発光を波長変換する蛍光体層１３０を備える。【選択図】図１
2020107644.tif 000002
【特許請求の範囲】
【請求項１】
赤外光を発する赤外ＬＥＤと、
前記赤外ＬＥＤの上部に配され、赤外光を透過し、可視光を反射する選択反射層と、
前記選択反射層の上部に配され、青色光を発する青色ＬＥＤと、
前記青色ＬＥＤの上部に配され、前記青色ＬＥＤの発する前記青色光を波長変換する蛍光体層とを備えた
ことを特徴とするＬＥＤ発光装置。
【請求項２】
回路基板上に複数のＬＥＤを配列した光源を備え、
前記ＬＥＤは、
赤外光を発する赤外ＬＥＤと、
前記赤外ＬＥＤの上部に配され、赤外光を透過し、可視光を反射する選択反射層と、
前記選択反射層の上部に配され、青色光を発する青色ＬＥＤと、
前記青色ＬＥＤの上部に配され、前記青色ＬＥＤの発する前記青色光を波長変換する蛍光体層とを含む
ことを特徴とするヘッドライト。
【発明の詳細な説明】
【技術分野】
【０００１】
本発明は、１つのパッケージに青色ＬＥＤと赤外ＬＥＤを備えたＬＥＤ発光装置及びヘッドライトに関する。
【背景技術】
【０００２】
近年、自動車の安全性向上に向け、運転手を支援するさまざまな提案がなされている。最終的には自動運転車が目標であるとしても、その前段階として、現在、自動ブレーキや前車自動追尾などが実用化されている。これらの要素技術の１つとして、物体検出装置が挙げられる。物体として対象となるものは、歩行者、車両、道路標識、建物、道路等であり、物体検出装置により検出された情報（物体検出装置として、単眼カメラもしくはレーダーやステレオカメラといった画像や距離情報）に基づき自動ブレーキによる加減速や前者自動追尾による操舵が行われる。このようにして物体を検出する物体検出装置は、人間の目以上の性能が要求される。
【０００３】
具体的には、これらのカメラには、ＣＣＤやＣＭＯＳが使用され、人間と同様に可視光により２Ｄ画像を得ている。しかし、夜間は感度が落ちるため、ヘッドライトの改善が必要になる。つまり、夜間に自動車事故が多いことから、夜間の物体検出能力を向上することが大きな課題となっている。この夜間の検出能力を上げる方法として、レーダーや暗視カメラが有力である。とくに、赤外線を投光してその反射光を検出する暗視カメラ（ナイトビジョン）は、夜間の視認性に優れている。さらに、赤外線は、人間には見えないため、遠方を照らしても対向車や歩行者を眩惑しない。すなわち、高出力の赤外線をより遠方に投光することにより、通常視認できない物体までも検出することができるようになる。
【０００４】
以上のように、物体検出装置として有望な可視光カメラやナイトビジョンでは、照明系の改善が継続的な課題となっている。可視光カメラの照明として利用できる自動車のヘッドライトは、大光量が要求されるためハロゲンランプやＨＩＤランプが広く用いられてきた。昨今では、自動車のヘッドライトでも、光出力が増加した小型で効率の良いＬＥＤが採用されるようになってきた。ナイトビジョン用の照明に使われる赤外光においても同様であり、赤外ＬＥＤの光量が増加し、遠方まで照明できるナイトビジョンが実用化できるようになっている。なお、ＬＥＤを光源とする場合には、発光源が小さいために投光光学系を小さくできる利点がある。
【０００５】
上記のような技術的背景があり、物体検出装置として、可視光カメラ及びナイトビジョンを併設することが可能となってきた。しかしながら、デザイン、重量、コスト、サイズといった観点から、可視光ヘッドライト及びナイトビジョンのそれぞれに投光系（反射鏡や投光レンズなど）を準備する訳にはいかないので、可視光ＬＥＤと赤外ＬＥＤを同一のパッケージに実装することで、共通の光学系を使用できるようにすれば良いものが提案された。例えば、特許文献１には、白色ＬＥＤと赤外ＬＥＤを発光面の１／３以下の間隔で配置するとともに、これらを交互に配置することで光学系の共通化を実現しているＬＥＤ発光装置が記載されている。
【０００６】
また、最近では、ＡＤＢ（ＡｄａｐｔｉｖｅＤｒｉｖｉｎｇＢｅａｍ）と呼ばれ、マトリクス配置されたＬＥＤを光源とする自動車用ヘッドライトが提案されている。ＡＤＢでも、上述と同様、可視光カメラとナイトビジョンを併用する場合がある。ＡＤＢは、視認性を高めるために常にハイビームで前方を照射しつづけ、その際、前方を走る車、対向車、歩行車などの防眩のため、カメラから得た情報により、マトリクス上の対応するＬＥＤを個別に消灯する。また、赤外ＬＥＤは、前述のように、眩惑することがないので、ＡＤ
Ｂに簡単に組み込める。例えば、特許文献２の図１１には、白色ＬＥＤの周囲に赤外ＬＥＤを配したＡＤＢ用光源が示されている。
【先行技術文献】
【特許文献】
【０００７】
【特許文献１】特開２００５−０８１９０２号公報（図１）
【特許文献２】特開２０１５−１４９３０７号公報（図１１）
【発明の概要】
【発明が解決しようとする課題】
【０００８】
しかしながら、特許文献１に記載されたＬＥＤ発光装置を採用したヘッドライトは、可視光ヘッドライトとしては白色ＬＥＤのみが投影に寄与する。つまり、ヘッドライトは、投影レンズを使用するため照射面において光源の像が現れる結果、赤外ＬＥＤの大きさの分だけ、白色ＬＥＤ間に暗い部分が発生する。なお、赤外ＬＥＤを備えておらず、単純に白色ＬＥＤが配列しているだけの光源を使用した一般的なヘッドライトでさえも、投影面において白色ＬＥＤの投影像の間に暗部が発生しており、この暗部は問題視されている。すなわち、暗部は、視界不良を発生するばかりでなく、対策しようとすると光学系の設計を複雑にしてしまう。
【０００９】
また、特許文献２の図１１に示されたＡＤＢ用の光源では、赤外ＬＥＤが白色ＬＥＤアレイの外周部に配置されているため、同一の光学系を用いた場合には、照射面において赤外ＬＥＤの照射位置が白色ＬＥＤとは別の照射位置になってしまう。仮に、特許文献１に記載されたＬＥＤ発光装置のように、白色ＬＥＤと赤外ＬＥＤを交互に配置したとしても、照射面では白色ＬＥＤの投影像毎に暗部が発生し、特許文献１に記載したＬＥＤ発光装置と同様の課題を生じる。
【００１０】
そこで、本発明は、上記課題に鑑みて為されたものであり、白色ＬＥＤと赤外ＬＥＤに対し同一の光学系を用いても、白色ＬＥＤと赤外ＬＥＤでほぼ同一の投影像を得られるＬＥＤ発光装置及びヘッドライトを提供することを目的とする。
【課題を解決するための手段】
【００１１】
上記課題を解決するため本発明のＬＥＤ発光装置は、赤外光を発する赤外ＬＥＤと、前記赤外ＬＥＤの上部に配され、赤外光を透過し、可視光を反射する選択反射層と、前記選択反射層の上部に配され、青色光を発する青色ＬＥＤと、前記青色ＬＥＤの上部に配され、前記青色ＬＥＤの発する前記青色光を波長変換する蛍光体層とを備えたことを特徴とする。
【００１２】
本発明のＬＥＤ発光装置において、赤外ＬＥＤから放射された赤外光は、選択反射層、青色ＬＥＤ透光性基板、及び蛍光体層を透過し、外部に出射する。青色ＬＥＤから放射された青色光は、一部が選択反射層で反射するため、ほとんどが上方に向かい、蛍光体層で一部が波長変換され、残りが外部に出射する。蛍光体層で波長変換された光は、一部が選択反射層で反射するため、ほとんどが上方に向かい、外部に出射する。赤外ＬＥＤからの放射光、青色ＬＥＤからの放射光、及び蛍光体層からの放射光は、互いに重なっているためほぼ同一の位置で発光するものとみなせる。
【００１３】
なお、本発明のＬＥＤ発光装置において、中間に配置する選択反射層は、可視光に対して反射特性を有し、赤外光は透過する。このため、上部に配置する青色ＬＥＤの青色光は、上部に向かって反射され、下部に位置する赤外ＬＥＤの赤外光は、上部に向かって透過することができる。さらに、青色ＬＥＤに含まれる基板及び半導体層は、赤外光に対して透光性がある。ＬＥＤ発光装置の可視光は、蛍光体層の波長変換により白色光となり、こ
の可視光と赤外光とが重なって出力される。
【００１４】
上記課題を解決するため本発明のヘッドライトは、回路基板上に複数のＬＥＤを配列した光源を備え、前記ＬＥＤは、赤外光を発する赤外ＬＥＤと、前記赤外ＬＥＤの上部に配され、赤外光を透過し、可視光を反射する選択反射層と、前記選択反射層の上部に配され、青色光を発する青色ＬＥＤと、前記青色ＬＥＤの上部に配され、前記青色ＬＥＤの発する前記青色光を波長変換する蛍光体層とを含むことを特徴とする。
【発明の効果】
【００１５】
以上のように、本発明のＬＥＤ発光装置及びヘッドライトでは、お互いに重なった領域から、白色光と赤外光を得ることができる。このＬＥＤ発光装置は、１つの光学系を用いた場合でも、可視光と赤外光とが重なっているため投影像には赤外ＬＥＤに基づく暗部が発生しない。また、ＡＤＢのようなマトリクス配置にした本発明のヘッドライトも、各画素で赤外光と白色光の発光源が重なっているので暗部の発生を極力なくすことができる。したがって、本発明のＬＥＤ発光装置及びヘッドライトは、白色ＬＥＤと赤外ＬＥＤに対し同一の光学系を用いても、白色ＬＥＤと赤外ＬＥＤでほぼ同一の投影像を得られる。
【図面の簡単な説明】
【００１６】
【図１】本発明の実施形態として示すＬＥＤ発光装置の斜視図である。
【図２】図１に示すＬＥＤ発光装置の断面図である。
【図３】図１に示すＬＥＤ発光装置に含まれる選択反射層の透過分光図である。
【図４】本発明の実施形態として示すヘッドライトの構成図である。
【図５】図４に示すヘッドライトの照射面における白色光の説明図である。
【図６】図４に示すヘッドライトの照射面における赤外光の説明図である。
【発明を実施するための形態】
【００１７】
以下、図１〜６を参照して本発明の好適な実施形態について詳細に説明する。なお、図面の説明において、同一または相当要素には同一の符号を付し、重複する説明は省略する。説明のため部材の縮尺は適宜変更している。
【００１８】
図１は、本発明の実施形態として示すＬＥＤ発光装置１０の斜視図である。図１に示すＬＥＤ発光装置１０は、一般的にＣＳＰ（ＣｈｉｐＳｃａｌｅｄＰａｃｋａｇｅ）と呼ばれ、発光デバイスのサイズ（ＬＥＤのダイサイズ）近くまで外形寸法をスケールダウンしたパッケージである。図１に示すように、ＬＥＤ発光装置１０は、サブマウント基板１００、赤外ＬＥＤ１１１、青色ＬＥＤ１２０、蛍光体層１３０を備えている。
【００１９】
サブマント基板１００は、側部に、青色ＬＥＤ１２０用のアノード端子１０１、青色ＬＥＤ１２０用のカソード端子１０２、赤外ＬＥＤ１１１用のアノード端子１０４、底面に、赤外ＬＥＤ１１１用のカソード端子１０３を有する。赤外ＬＥＤ１１１は、Ａｇペースト１０７を介してサブマウント基板１００に実装され、アノード電極１４４を有する。なお、図示していない赤外ＬＥＤ１１１のカソード電極は、Ａｇペースト１０７と接続している（図２参照）。青色ＬＥＤ１２０は、透光性基板１２２を含む。透光性基板１２２は、底面に選択反射層１２３、上面に青色発光層１２１を備えている。青色発光層１２１上には、アノード電極１４１とカソード電極１４２が形成されている。蛍光体層１３０は、一部分が青色ＬＥＤの上部に配されるようにして、青色ＬＥＤ１２０、赤外ＬＥＤ１１１及びサブマウント基板１００を封止する。
【００２０】
サブマント基板１００に含まれる青色ＬＥＤ用のアノード端子１０１、カソード端子１０２、赤外ＬＥＤ用のアノード端子１０４は、ワイヤー１４０により、それぞれ、青色ＬＥＤ１２０のアノード電極１４１、カソード電極１４２、赤外ＬＥＤのアノード電極１４
４と接続している。なお、図示していない赤外ＬＥＤ１１１のカソード電極は、Ａｇペースト１０７を介してサブマウント基板１００に形成された赤外ＬＥＤ１１１用のカソード端子１０３と接続している（図２参照）。
【００２１】
サブマウント基板１００は、基材がＡｌＮ（窒化アルミ）やＡｌ2Ｏ3（酸化アルミ）などのセラミックから成り、青色ＬＥＤ１２０用のアノード端子１０１、青色ＬＥＤ１２０用のカソード端子１０２、赤外ＬＥＤ１１１用のカソード端子１０３、及び赤外ＬＥＤ１１１用のアノード端子１０４を有する。各端子１０１〜１０４は、銅や銀を主成分にする導電部材により形成され、ワイヤーボンディングの信頼性を向上するためにＮｉ−Ｐｄ−Ａｕのメッキが表面に施されている。赤外ＬＥＤ１１１用のカソード端子１０３以外の端子１０１、１０２、１０４は、ＬＥＤ発光装置１０と外部回路との電気接続のため、サブマウント基板１００の側面とともに下面にも導電部材を備えている（図２参照）。赤外ＬＥＤ１１１用のカソード端子１０３は、スルーホール構造（図２参照）を介して、サブマウント基板１００の上面と下面に形成されている。
【００２２】
赤外ＬＥＤ１１１は、ＧａＡｓ基板１１０とＧａＡｌＡｓから成る赤外発光層１０９を備え、赤外発光層１０９を上面側、ＧａＡｓ基板１１０を下面側に配置している。ＧａＡｓ基板１１０は、サブマウント基板１００にＡｇペースト１０７により接着される。ＧａＡｓ基板１１０の下面は、カソード電極（図２参照）となっているので、赤外ＬＥＤ１１１は、Ａｇペースト１０７により、サブマウント基板１００に形成した赤外ＬＥＤ１１１用のカソード端子１０３と導通する。なお、一般的に７５０ｎｍ以上を赤外とするが、ＬＥＤ発光装置１０に含まれる赤外ＬＥＤ１１１は、暗闇でも赤外光が視認できないように、９４０ｎｍの波長を用いている。
【００２３】
前述したように、赤外ＬＥＤ１１１の上面に形成されたアノード電極１４４は、ワイヤー１４０により、サブマウント基板１００の赤外ＬＥＤ１１１用のアノード端子１０４に接続される。また、赤外ＬＥＤ１１１の上面には、接着層１１３を介して青色ＬＥＤ１２０が配置されている。なお、青色ＬＥＤ１２０は、サファイアを成分とする透光性基板１２２を備え、透光性基板１２２は、上面にＧａＮから成る青色発光層１２１を有し、下面に選択反射層１２３が形成されている。青色ＬＥＤ１２０の青色発光層１２１の上面には、アノード電極１４１とカソード電極１４２が形成され、それぞれの電極１４１、１４２は、サブマウント基板１００に設けられた青色ＬＥＤ１２０用のアノード端子１０１及び青色ＬＥＤ１２０用のカソード端子１０２にワイヤー１４０を介して接続されている。蛍光体層１３０は、ＹＡＧ等の蛍光体を混練したシリコーン等の透明樹脂からなり、サブマウント基板１００の上面から青色ＬＥＤ１２０までの全体を封止するように形成されている。
【００２４】
図２は、図１のＡ−Ａ´線に沿ったＬＥＤ発光装置１０の断面図である。図２を用いて、ＬＥＤ発光装置１０の発光と各層の働きについて説明する。
【００２５】
最初に、白色光の発光について説明する。ＬＥＤ発光装置１０に含まれるサブマウント基板１００に設けられた青色ＬＥＤ１２０用のカソード端子１０２とアノード端子１０１に所定の電流を印加すると、青色ＬＥＤ１２０の上面に形成された青色発光層１２１から青色光２２０が放射される。青色光２２０は、全方位に放射されるが、上面方向に放射された青色光２２０は、蛍光体層１３０に直接入射し、下面方向に放射された青色光２２０は、透光性基板１２２を透過し、選択反射層１２３で反射し、再び透光性基板１２２を透過し蛍光体層１３０に入射する。
【００２６】
ここで、図３により、選択反射層１２３について詳細に説明する。図３は、選択反射層１２３の透過分光図である。図３において、縦軸は、透過率（％）、横軸は、波長（ｎｍ
）を示す。
【００２７】
図３に示すように、選択反射層１２３は、波長８００ｎｍ以下の可視光（一部、赤外光を含む）を反射し、それ以上の波長の赤外光を透過する。すなわち、選択反射層１２３の光学特性を示す曲線は、波長７５０ｎｍ付近までは透過率が０％、つまり反射率１００％であるが、８１０ｎｍ付近では透過率が１００％となっている。
【００２８】
このような光学部品は、コールドミラーと呼ばれ、熱線カットなどの用途でさまざまな光学製品に用いられている。選択反射層１２３は、透光性基板１２２の下面に、低屈折率層と高屈折率層の薄膜を交互に形成することで実現できる。本実施例では、低屈折率層にフッ化マグネシウムＭｇＦ2層と、高屈折率層に酸化チタンＴｉＯ2層を用いて形成されている。
【００２９】
再び図２に戻り、白色光の発光について説明を続ける。前述のように、選択反射層１２３に入射した青色光２２０は、選択反射層１２３で反射し、再び透光性基板１２２に入射し、透光性基板１２２を透過し、蛍光体層１３０に入射する。したがって、青色発光層１２１から発光する青色光２２０は、すべて蛍光体層１３０に入射することになる。
【００３０】
蛍光体層１３０には、青色光２２０の波長帯に吸収感度を有し、黄色光に変換するＹＡＧ蛍光体粒子がシリコーン樹脂に分散配置されている。入射した青色光２２０の一部は、蛍光体層１３０中のＹＡＧ蛍光体で黄色光２１０に変換され、蛍光体層１３０の上部に出射する。ＹＡＧ蛍光体に吸収されなかった青色光２２０は、波長変換されることなく蛍光体層１３０から出射する。すなわち、蛍光体層から出射する青色光２２０と黄色光２１０が合成され、上方に向かう白色光を得ることができる。なお、蛍光体層１３０から放射される黄色光２１０も等方的に放射されるが、青色光２２０と同様に下方向に向かう成分が選択反射層で上方に反射される。また、側方に向かう黄色光２１０は無視している。
【００３１】
次に、赤外ＬＥＤ１１１の赤外発光について説明する。ＬＥＤ発光装置１０に含まれるサブマウント基板１００に設けた赤外ＬＥＤ１１１用のカソード端子１０３と赤外ＬＥＤ１１１用のアノード端子１０４に所定の電流を印加すると、赤外ＬＥＤ１１１から赤外光２３０が上方に向かって放射される。なお、赤外光２３０は等方的に放射されるが、ＧａＡｓ基板１１０の下部に配置する赤外ＬＥＤのカソード電極を、金などの赤外波長域で高い反射率をともなう材料で形成することで、下方に向かう成分を上方に反射している。また、側方に向かう成分は無視する。
【００３２】
赤外ＬＥＤ１１１から放射された赤外光２３０は、上部に配置された接着層１１３に入射する。接着層１１３は、赤外光２３０に対して透過材料であるシリコーン系の樹脂を用いている。赤外光２３０は、接着層１１３を透過した後に選択反射層１２３に入射する。選択反射層１２３は、図３に示したように赤外光２３０を透過するため、赤外光２３０は、透光性基板１２２に入射する。透光性基板１２２に用いたサファイアは、赤外光を透過するため、赤外光２３０は、透光性基板１２２も透過し、蛍光体層１３０に入射する。蛍光体層１３０では、ＹＡＧ蛍光体は、赤外線波長帯域の吸収がないため、赤外光２３０は、波長変換されることなく蛍光体層１３０を出射する。
【００３３】
以上、蛍光体層１３０から白色光と赤外光が出射する。このとき、ＬＥＤ発光装置１０に対し、反射鏡や投影レンズはサイズが大きいことが多いため、白色光と赤外光が同一の発光位置から出射するとみなすことができる。
【００３４】
図４は、本ＬＥＤ発光装置１０を用いた自動車用のヘッドライト４００の構成図である。ヘッドライト４００は、ハイビームとして機能し、前記したＡＤＢを実現するものであ
る。図４に示すように、ヘッドライト４００は、ＬＥＤ発光装置１０が配列した回路基板４０１、コントローラ４０２、投影レンズ４０３、可視光・赤外光カメラ４０６を含み、照射面４０４を形成する。
【００３５】
光源となる回路基板４０１には、投影レンズ側４０３の面上にＬＥＤ発光装置１０が２ｘ８のマトリクス状に配置されている。ＬＥＤ発光装置１０は、青色ＬＥＤ１２０用のアノード端子１０１、青色１２０用のＬＥＤカソード端子１０２、赤外ＬＥＤ１１１用のカソード端子１０３、赤外ＬＥＤ１１１用のアノード端子１０４（図１、図２参照）が回路基板４０１の配線（図示せず）に半田で接続されている。
【００３６】
コントローラ４０２は、ＬＥＤ発光装置１０の青色ＬＥＤ１２０（図１、図２参照）と赤外ＬＥＤ１１１（図１、図２参照）をそれぞれ独立に点灯・消灯制御できる。
【００３７】
投影レンズ４０３は、ＬＥＤ発光装置１０の発光を前方に拡大投射する機能を有し、約１００ｍ先に照射面４０４を形成する。前述したように、この投影レンズ４０３は、全てのＬＥＤ発光装置１０に対して唯一存在している。すなわち、白色光と赤外光を発光する各ＬＥＤ発光装置１０は、ヘッドライト４００において白色光用と赤外光用で投影レンズ４０３を共有していることになる。
【００３８】
可視光・赤外光カメラ４０６は、自動車前方の情報を得るためのカメラであり、可視光と赤外光のそれぞれに反応して撮影可能な素子を有している。この可視光・赤外光カメラ４０６からの情報により、コントローラ４０２は、マトリクス状に配置したＬＥＤ発光装置１０を個別に点灯・消灯制御する。
【００３９】
図５及び図６は、図４に示したヘッドライト４００を用いて照明のため光源を投影したときの説明図であり、図５は、白色光の投影をした場合、図６は、赤外光の投影をした場合を示す。
【００４０】
図５において、障害物５００は、前方を走行する自動車である。このとき、可視光・赤外光カメラ４０６は、障害物５００を検出する。コントローラ４０２は、障害物５００の防眩のため、光源（回路基板４０１）の対象となる部分のＬＥＤ発光装置１０に含まれる青色ＬＥＤ１２０を消灯する。すなわち、白色光について、図中、上段と下段の中央部４個のＬＥＤ発光装置１０を消灯し、他はすべて点灯している。この白色光による照射面５０１は、投影レンズ４０３により光源が拡大照射されたときの光源（白色光）の投影像となる。この結果、障害物５００には白色光が照射されることなく、障害物５００の防眩を実現できる。
【００４１】
しかしながら、白色光による照明だけでは、障害物５００に相当する範囲やその周囲が消灯しているため、可視光・赤外光カメラ４０６での物体検出能力が著しく低下する。そこで、ＬＥＤ発光装置１０では、白色光とは独立に赤外光を発光し、障害物５００を照明することができる。すなわち、図６に示すように、赤外光の投影に際し、ＬＥＤ発光装置１０は、すべての赤外ＬＥＤ１１１を点灯している。この結果、投影レンズ４０３を介して投射される赤外光は、赤外光の照射面５０２において障害物５００も照射することができている。したがって、可視光・赤外光カメラ４０６は、可視光及び赤外光により、障害物５００自体とその周囲について漏れることなく物体検出をすることができる。
【００４２】
以上のように、ＬＥＤ発光装置１０によれば、赤外ＬＥＤ１１１、青色ＬＥＤ１２０及び蛍光体層１３０の発光が同一発光部から出射するとみなせるため、共通の光学系を用いた場合でも同一の照射面を得ることができる。さらに、白色光と赤外光をそれぞれ独立に制御することができるため、自動車用のヘッドライトなどで運転者用の白色照射面を制御
して防眩しながら、ナイトビジョン用の赤外光カメラで防眩した部分についても優れた物体検出を実現できる。
【００４３】
すなわち、ＬＥＤ発光装置１０は、可視光と赤外光を独立して放射できるため、可視光と赤外光を個別に必要とする照明系においてＬＥＤ発光装置１０同士を近接できるため、暗部を極力減らすことができる。さらに、ヘッドライト４００は、全てのＬＥＤ発光装置１０を点灯させた場合、ＬＥＤ発光装置１０が可視光と赤外光を独立して放射できるため、可視光カメラとナイトビジョンを併用する物体検出システムとして可視光と赤外光を必要とする照明系において、ＬＥＤ発光装置同士を近接できるため暗部を極力減らすことに加え、照射面において防眩のため可視光の暗部が生じても、赤外光は暗部を生じないようにできる。
【符号の説明】
【００４４】
１０…ＬＥＤ発光装置、
１００…サブマウント基板、
１０１…青色ＬＥＤ用のアノード端子、
１０２…青色ＬＥＤ用のカソード端子、
１０３…赤外ＬＥＤ用のカソード端子、
１０４…赤外ＬＥＤ用のアノード端子、
１０７…Ａｇペースト、
１０９…赤外発光層、
１１０…ＧａＡｓ基板、
１１１…赤外ＬＥＤ、
１１３…接着層、
１２０…青色ＬＥＤ、
１２１…青色発光層、
１２２…透光性基板、
１２３…選択反射層、
１３０…蛍光体層、
１４０…ワイヤー、
１４１…青色ＬＥＤのアノード電極、
１４２…青色ＬＥＤのカソード電極、
１４４…赤外ＬＥＤのアノード電極、
２１０…黄色光、
２２０…青色光、
２３０…赤外光、
４００…ヘッドライト、
４０１…回路基板、
４０２…コントローラ、
４０３…投影レンズ、
４０４、５０１、５０２…照射面、
４０６…可視光・赤外光カメラ、
５００…障害物。
【図１】
2020107644.tif 000003
【図２】
2020107644.tif 000004
【図３】
2020107644.tif 000005
【図４】
2020107644.tif 000006
【図５】
2020107644.tif 000007
【図６】
2020107644.tif 000008